(57)【特許請求の範囲】
【請求項１】
アドレス情報を含むシリアルデータを位相変調した位相変調信号に基づき光ディスクにグルーブを蛇行させて形成して該光ディスクをプリフォーマットする光ディスク記録方法であって、
前記シリアルデータに応じてその位相変化点における急激な波形変化が取り除かれた位相変調信号を生成し、該位相変調信号に応じて前記グルーブを蛇行させて形成することを特徴とする光ディスク記録方法。
【請求項２】
前記位相変化点を中心とした所定期間に亘って、前記位相変調信号の出力レベルを略一定に保つことを特徴とする請求項１記載の光ディスク記録方法。
【請求項３】
前記位相変調信号を構成する複数の基本波形データをメモリに記憶させ、前記メモリから前記シリアルデータに対応した前記複数の基本波形データの内、一の基本波形データを読み出し、該読み出した基本波形データをＤ／Ａ変換することにより、前記位相変調信号を生成することを特徴とする請求項１記載の光ディスク記録方法。
【請求項４】
アドレス情報を含むシリアルデータに基づき光ディスクにグルーブを蛇行させて形成して該光ディスクをプリフォーマットする光ディスク記録装置であって、
前記シリアルデータに応じてその位相変化点における急激な波形変化が取り除かれた位相変調信号を生成する位相変調回路と、
該位相変調信号に応じて前記グルーブを蛇行させて形成するグルーブ蛇行手段とを備えることを特徴とする光ディスク記録装置。
【請求項５】
前記位相変調回路は前記位相変化点を中心とした所定期間に亘って、前記位相変調信号の出力レベルを略一定に保つことを特徴とする請求項４記載の光ディスク記録装置。
【請求項６】
前記位相変調回路は、前記位相変調信号を構成する複数の基本波形データを記憶するメモリと、前記シリアルデータに応じて前記複数の基本波形データの内、一の基本波形データを読み出すメモリコントロール回路と、該読み出した基本波形データをＤ／Ａ変換するＤ／Ａ変換回路とを含み構成されていることを特徴とする請求項４記載の光ディスク記録装置。
【請求項７】
アドレス情報を含むシリアルデータに基づき光ディスクにグルーブの一方の壁面を蛇行させて形成して該光ディスクをプリフォーマットする光ディスク記録方法であって、
前記シリアルデータはランドと前記グルーブとを検出するための所定のパターンからなる同期信号を含み、該同期信号を含む前記シリアルデータをその位相変化点における急激な波形変化が取り除かれた位相変調信号に変調し、該位相変調信号に応じて前記一方の壁面が蛇行するように前記グルーブを形成することを特徴とする光ディスク記録方法。
【請求項８】
アドレス情報を含むシリアルデータに基づき光ディスクにグルーブの一方の壁面を蛇行させて形成して該光ディスクをプリフォーマットする光ディスク記録装置であって、
前記シリアルデータにランドと前記グルーブとを判別するための所定のパターンからなる同期信号を合成する合成回路と、
該合成回路の出力をその位相変化点における急激な波形変化が取り除かれた位相変調信号に変調する位相変調回路と、
該位相変調信号に応じて前記一方の壁面が蛇行するように前記グルーブを形成するグルーブ蛇行手段とを備えることを特徴とする光ディスク記録装置。
【発明の詳細な説明】
【０００１】
【産業上の利用分野】
本発明は光ディスク記録方法、光ディスク記録装置及び光ディスクに関し、特にグルーブにより少なくともアドレスデータを含むシリアルデータを光ディスクにプリフォーマットするための光ディスク記録方法、光ディスク記録装置及び光ディスクに関する。
【０００２】
【従来の技術】
ＣＤ−Ｒ、ＤＶＤ−Ｒ、ＤＶＤ−ＲＷ等、記録用光ディスクによれば、その記録位置を判別するためのアドレス情報が各種方法により予め記録されている。  例えば、ＣＤ−Ｒによれば、アドレス情報をＦＭ変調した信号に応じてグルーブを蛇行させている。しかしながら、ＦＭ変調信号に応じてグルーブが蛇行形成されていると、再生時のＣ／Ｎ悪化に弱く、記録されたアドレス情報を確実に読み出しにくい問題があった。
【０００３】
一方、特開平１０−３２０７７３号公報はアドレス情報を位相変調した信号に応じてグルーブを蛇行させるようにした光ディスクマスタリング装置を開示している。図１１はかかる公報に記載された光ディスクマスタリング装置１のブロック図を示している。
【０００４】
ウォブルデータ生成回路６はアドレス情報を含むウォブルデータ（ＡＤＩＰ）を生成し、ウォブルデータ信号発生回路７に出力する。ウォブル信号発生回路７は基準クロック発生回路７Ａ、分周回路７Ｂ、７Ｄ、バイフェーズマーク変調回路７Ｃ、位相変調回路７Ｅを含み構成されている。ウォブル信号発生回路７は図１２に示されるように、入力したウォブルデータ（ＡＤＩＰ）をバイフェーズマーク変調回路７Ｃによりバイフェーズマーク変調してチャンネル信号（ｃｈ）とし、更にこのチャンネル信号（ｃｈ）を位相変調回路７Ｅにより位相変調し、ウォブル信号（ＷＢ）を出力する。この出力されたウォブル信号（ＷＢ）は駆動回路５を介して光ヘッド４に与えられる。光ヘッド４はウォブル信号（ＷＢ）の出力レベルに応じて、レーザービームＬをディスク半径方向に振り、光ディスク原盤２に蛇行したグルーブを露光形成する。
【０００５】
この光ディスクマスタリング装置１によれば、位相変調信号に応じてグルーブを蛇行させているので、製造された光ディスクはＣ／Ｎ悪化に強く、記録されたアドレス情報を確実に読み出すことができる。
【０００６】
【発明が解決しようとする課題】
しかしながら、上述した光ディスクマスタリング装置１によれば、そのウォブル信号（ＷＢ）は図１２に示されるように単にチャンネル信号（ｃｈ）を位相変調した信号であることから、チャンネル信号（ｃｈ）が“０”から“１”、または“１”から“０”に状態変化する位相変化点ｐにおいて、その信号波形が急激に反転変化しており、当然ディスク上のグルーブも対応する位置において急激な蛇行変化個所（角部）が生じている。ところが、ＣＤ−ＲＷやＤＶＤ−ＲＷ等に代表されるように記録面の結晶構造を局所的に変化させて所望のデータを記録する相変化型光ディスクによれば、記録面上に角部が存在すると、その角部から記録層の劣化が広がり始める欠点をもっており、単に位相変調信号に応じてグルーブを蛇行させたのでは、ディスク性能が徐々に悪化してしまう問題があった。
【０００７】
【課題を解決するための手段】
本発明は上述の問題を解消した光ディスク記録方法、光ディスク記録装置及び光ディスクを提供するものであり、請求項１記載の本発明光ディスク記録方法は、アドレス情報を含むシリアルデータを位相変調した位相変調信号に基づき光ディスクにグルーブを蛇行させて形成することにより、光ディスクをプリフォーマットする光ディスク記録方法であり、シリアルデータに応じてその位相変化点における急激な波形変化が取り除かれた位相変調信号を生成し、該位相変調信号に応じてグルーブを蛇行させて形成するようにしたものである。
【０００８】
請求項４記載の本発明光ディスク記録装置は、アドレス情報を含むシリアルデータに基づき光ディスクにグルーブを蛇行させて形成することにより、該光ディスクをプリフォーマットする光ディスク記録装置であり、シリアルデータに応じて位相変化点における急激な波形変化が取り除かれたシリアルデータの位相変調信号を生成する位相変調回路と、位相変調信号に応じてグルーブを蛇行させて形成する手段とを設けたものである。
【０００９】
この光ディスク記録方法又は記録装置によれば、光ディスクにはなめらかな蛇行からなるグルーブが形成されるので、光ディスクを長期間にわたり安定した性能に保つことができる。更に、位相変調信号に応じてグルーブが蛇行しているので、Ｃ／Ｎ悪化に強く、記録されたアドレス情報を確実に読み出すことができる。
【００１２】
更に、本発明は上述した問題の解消に加え、グルーブ再生信号からランドとグルーブの何れを再生しているのか検出することができる、光ディスク記録方法、光ディスク記録装置、光ディスク、光ディスク再生装置を提供するものである。
【００１３】
この問題を解消した請求項９記載の光ディスク記録方法は、アドレス情報を含むシリアルデータに基づき光ディスクにグルーブの一方の壁面を蛇行させて形成し、この光ディスクをプリフォーマットする光ディスク記録方法であり、シリアルデータにランドとグルーブとを検出するための所定のパターンからなる同期信号を加える。そして、この同期信号を含むシリアルデータをその位相変化点における急激な波形変化が取り除かれた位相変調信号に変調し、この位相変調信号に応じて前記一方の壁面が蛇行するようにグルーブを形成するものである。
【００１４】
また、請求項１０記載の本発明光ディスク記録装置は、アドレス情報を含むシリアルデータに基づき光ディスクにグルーブの一方の壁面を蛇行させて形成し、この光ディスクをプリフォーマットする光ディスク記録装置であり、シリアルデータにランドとグルーブとを判別するための所定のパターンからなる同期信号を合成する合成回路と、この合成回路の出力をその位相変化点における急激な波形変化が取り除かれた位相変調信号に変調する位相変調回路と、この位相変調信号に応じて前記一方の壁面が蛇行するようにグルーブを形成する手段とからなる。
【００１５】
係る光ディスク記録方法又は記録装置によれば、光ディスクのグルーブの一方の壁面には、同期信号を含む、なめらかな蛇行からなるグルーブが形成される。よって、光ディスクを長期間にわたり安定した性能に保つことができる。また、位相変調信号に応じてグルーブを蛇行させているので、製造された光ディスクはＣ／Ｎ悪化に強く、記録されたアドレス情報を確実に読み出すことができる。更に、同期信号に対応するグルーブ再生信号が、ランドを再生する時と、グルーブを再生する時とで反転した状態となって現れ、それを検出することにより、ランドを再生しているのか、或いはグルーブを再生しているのかを検出することができる。
【００１８】
上記の本発明に係る光ディスクを再生する装置は、光学ヘッドの再生信号から抽出したグルーブ再生信号を位相復調する位相復調回路と、位相復調回路の出力に含まれる同期信号のパターンを判別することにより、光学ヘッドがランドとグルーブの何れを再生しているのかを検出するランド／グルーブ検出回路と、から構成される。
【００１９】
ランド／グルーブ検出回路は位相復調回路の出力信号に含まれる同期信号のパターンを判別して、ランドとグルーブの何れを再生しているのかを検出し、極性反転回路の極性反転状態を制御する。よって、光ビームはランドからグルーブに、或いはその逆にグルーブからランドを再生する状態となっても、トラッキングが外れることなく、ランド及びグルーブに記録されたデータを追従再生する。
【００２０】
【発明の実施の形態】
以下、本発明の一実施例を各図面を参照しながら説明する。図１は本発明光ディスク記録装置の一実施例を示しており、大記憶容量を得るため所定角度毎、本実施例によれば一周毎にランドとグルーブが交互接続され、その両方にデータが記憶されるシングルスパイラル−ランドグルーブ記録ディスク（以下、シングルスパイラルディスクと称する）を製造する元となる光ディスク原盤１９をマスタリングする光ディスク原盤記録装置１００を構成している。
【００２１】
アドレス信号発生回路１０はアドレス情報を含む７６ビットのデータビット信号Ｓ０を生成し、バイフェーズ変調回路１１に出力する。本実施例によればこのデータビット信号Ｓ０は図２に示されるフォーマットからなり、１バイトのセクターインフォメーション（Sector Information）、４バイトのアドレスデータ（ID Data）、２バイトのエラー検出コード（EDC）及び３バイトのその他予約部分（Reserved）から構成されている。なお、データビット信号Ｓ０はこのフォーマットに限定されるものではなく、時間情報やフレーム情報を含む等、アドレス情報を含むものであれば如何なるフォーマットでも構わない。
【００２２】
バイフェーズ変調回路１１は追ってその先頭に付け加えられる同期信号Ｓ２とデータビット信号Ｓ０と区別するため、データビット信号Ｓ０の各ビットをバイフェーズ変調（“１”を“０１”、“０”を“１０”）する。このバイフェーズ変調により、その出力（バイフェーズ信号Ｓ１）は“１”又は“０”が３個以上連続するパターンを持つことはない。
【００２３】
同期信号発生回路１２はバイフェーズ信号Ｓ１のパターンには存在しない、即ち、“１”又は“０”が３個以上連続するパターンを含む同期信号Ｓ２を生成する。更に本実施例装置によれば光ビームがランドとグルーブの何れを再生しているのかを検出できるようにするため、この同期信号発生回路１２はその位相検出が可能なパターン“０１１１０００１”からなる同期信号Ｓ２を生成する。信号合成回路１３は上述したバイフェーズ信号Ｓ１とこの同期信号Ｓ２を入力し、バイフェーズ信号Ｓ１の先頭に同期信号Ｓ２のパターンを追加したチャンネルビット信号Ｓ３（シリアルデータ）を出力する（図３参照）。
【００２４】
位相変調回路１４は本発明の最も特徴的な部分を構成している。位相変調回路１４はチャンネルビット信号Ｓ３とマスタークロック発生回路２６から出力されたマスタークロックｆを入力し、位相変化点における急激な波形変化が取り除かれたチャンネルビット信号Ｓ３の位相変調信号Ｓ４を生成する（図３参照）。特に本実施例装置によれば、この位相変調信号Ｓ４はその位相変化点ｐを中心とした所定期間、本実施例によればＴ／２の期間（Ｔ：基本周期）、その出力レベルが略一定に保たれる。なお、この位相変調信号Ｓ４の基本周期Ｔは光ディスクへの記録再生データやトラッキングサーボに悪影響を与えないよう、その周波数（１／Ｔ）がトラッキングサーボ信号の周波数帯域より高く、また光ディスクへの記録再生データの周波数帯域より低くなるよう設定される。
【００２５】
この位相変調信号Ｓ４は、図６に示されるようにチャンネルビット信号Ｓ３の連続する３ビットデータに対応した８種類の基本波形Ｗ１〜Ｗ８の組み合わせから構成されている。
【００２６】
３ビットデータ“０００”に対応する基本波形Ｗ１は周期Ｔのサイン波４つからなる。３ビットデータ“１００”に対応する基本波形Ｗ２は基本波形Ｗ１の最初のＴ／４の期間、その出力がプラス最大レベルに保たれた波形形状を示す。３ビットデータ“００１”に対応する基本波形Ｗ３は基本波形Ｗ１の最後のＴ／４の期間、その出力レベルがマイナス最大レベルに保たれた波形形状を示す。３ビットデータ“１０１”に対応する基本波形Ｗ４は基本波形Ｗ１に対してその最初と最後のＴ／４の期間、その出力レベルがそれぞれプラス最大レベル、マイナス最大レベルに保たれた波形形状を示す。
【００２７】
３ビットデータ“００１”に対応する基本波形Ｗ５は基本波形Ｗ１の逆相波形であり、またその最初のＴ／４の期間、その出力レベルがマイナス最大レベルに保たれた波形形状を示す。３ビットデータ“１１１”に対応する基本波形Ｗ６は基本波形Ｗ１の逆相波形を示す。３ビットデータ“１１０”に対応する基本波形Ｗ７は基本波形Ｗ１の逆相波形であり、またその最後のＴ／４の期間、その出力レベルがプラス最大レベルに保たれた波形形状を示す。３ビットデータ“０１０”に対応する基本波形Ｗ８は基本波形Ｗ１の逆相波形であり、またその最初と最後のＴ／４の期間、その出力レベルがそれぞれマイナス最大レベル、プラス最大レベルに保たれた波形形状を示す。
【００２８】
図４は係る基本波形Ｗ１〜Ｗ８を生成する位相変調回路１４の回路例を示している。分周回路２１はマスタークロック発生回路２６から出力されたマスタークロックｆを分周し、分周クロックｆ／２５６を生成出力する。シフトレジスタ２０は３個のＤ型フリップフロップ２０Ａ〜２０Ｃから構成され、合成回路１３から出力されたチャンネルビット信号Ｓ３をその分周クロックｆ／２５６に基づき、３ビットのパラレルデータにシリアル／パラレル変換し、それをメモリコントロール回路２２に出力する。
【００２９】
メモリコントロール回路２２は、その内部に８ビットのカウンタ２２Ａとラッチ回路２２Ｂを備える。カウンタ２２Ａは図５に示されるように、シフトレジスタ２０の出力（３ビットのパラレルデータＤｎ）の変化タイミングでゼロリセットされ、マスタークロックｆに基づきカウントアップする。上述したようにカウンタは分周クロックｆ／２５６をカウントするため、その出力は各３ビットのパラレルデータ毎に０から２５５までカウントアップする。
【００３０】
ラッチ回路２２Ｂはマスタークロックｆに基づき、シフトレジスタ２０の３ビット出力とカウンタ２２Ａの８ビット出力をラッチし、シフトレジスタ２０の３ビット出力をメモリ２３のアドレス端子の上位３ビットに、カウンタ２２Ａの８ビット出力をメモリ２３の残る下位８ビットのアドレス端子に出力する。
【００３１】
メモリ２３は上位３ビットで区分けされる８区分のアドレスエリアに、上述した８つの基本波形Ｗ１〜Ｗ８を２５６ポイント、８ビットでサンプリングしたサンプリングデータをメモリしている。即ち、アドレスエリア１“００００……０”〜“０００１……１”には基本波形Ｗ１のサンプリングデータが、アドレスエリア２“００１０……０”〜“００１１……１” には基本波形Ｗ２のサンプリングデータが、エリア３“０１００……０”〜“０１０１……１” には基本波形Ｗ３のサンプリングデータが、エリア４“０１１０……０”〜“０１１１……１” には基本波形Ｗ４のサンプリングデータが、エリア５“１０００……０”〜“１００１……１” には基本波形Ｗ５のサンプリングデータが、エリア６に“１０１０……０”〜“１０１１……１” には基本波形Ｗ６のサンプリングデータが、エリア７“１１００……０”〜“１１０１……１” には基本波形Ｗ７のサンプリングデータが、エリア８“１１１０……０”〜“１１１１……１” には基本波形Ｗ８のサンプリングデータがメモリされる。
【００３２】
よって、メモリ２３はチャンネルビット信号Ｓ３の連続する３ビットのパラレルデータＤｎに対応した基本波形データのサンプリングデータを、カウンタ２２Ａのカウントアップに同期して出力する。
【００３３】
メモリ２３から読み出された基本波形のサンプリングデータはＤ／Ａ変換回路２４により逐次アナログ信号にＤ／Ａ変換され、ローパスフィルタ（ＬＰＦ）２５により余分な高域帯域が削除され、位相変調信号Ｓ４となる。
【００３４】
そして、この位相変調信号Ｓ４はグルーブを蛇行させるウォブル信号として、駆動回路１５を介してグルーブを蛇行させる手段を構成する。光学ヘッド１６に与えられる。
【００３５】
本実施例装置によれば、データ記録再生時に光ビームがシングルスパイラルディスクのランド７３とグルーブ７２の何れをトレースしているのかを検出できるようにするため、図７に示されるように、ディスク中心側の壁面のみが蛇行したウォブリンググルーブ７２を形成しなければならない。よって、光学ヘッド１６はその光スポット１８Ａ、１８Ｂが常にオーバーラップする第１、第２の光ビーム１７Ａ、１７Ｂをディスク面に出射し、第１の光ビーム１７Ａのみを上述した位相変調信号Ｓ４に応じてディスク半径方向に振る。なお、この光ビームを偏光させる手段としては、ピエゾ素子（圧電素子）、回動ミラー、光偏光素子等が用いられる。
【００３６】
光ディスク原盤１９はスピンドルモータ２７により所定の速度で回転駆動され、また送り機構２８により光スポット１８Ａ，１８Ｂのディスク半径位置を変更すべく水平に非常に低い速度で高精度に移送される。なお、光ディスク原盤１９はそのガラス基板７０の上面に感光剤（フォトレジスト）７１が塗布されてなる。
【００３７】
よって、ウォブル信号Ｓ４に基づき光ビーム１７Ａが振られると、光ディスク原盤１８の感光膜２２は螺旋状のウォブリンググルーブとなる部分のみが露光されることになる。なお、シングルスパイラルディスクを形成するため、この露光は例えばディスク１回転毎に間欠的に行われる。
【００３８】
以上の如くして露光された光ディスク原盤１８は、以後従来のマスタリング工程同様にして、専用の現像液で現像されて露光部分（グルーブ相当部分）が溶かされ、スタンパが作成され、そのスタンパを基に相変化光ディスクが量産される。なお、その詳細な工程は周知であるため省略する。
【００３９】
次に、この量産された相変化光ディスクにコンピュータデータ、音声、映像等の各種データを記録再生する光ディスク記録再生装置２００を図８を参照しながら説明する。なお、この光ディスク記録再生装置２００はシングルスパイラル構造とされた相変化光ディスク３０にデータを記録再生するよう構成されている。
【００４０】
光ディスク３０はスピンドルモータ２９により回転駆動される。光学ヘッド３１は光ディスク３０に対して光ビーム３２を照射し、記録時にはその光ビーム３２をハイパワーとすることにより、光ディスク３０の記録面の結晶構造を局所的に変化させてデータを記録し、また再生時にはその光ビーム３２をローパワーとすることにより光ディスク３０に記録されたデータを再生する。
【００４１】
記録／再生回路３３は装置外部機器（図示しない）から供給された記録データをメモリ３４との協同により、誤り訂正信号の付加、インターリブ、変調等、各種の信号処理を行い光学ヘッド３１に出力する。また、記録再生回路３３は光学ヘッド３１により光ディスク３０から読み出された再生信号をメモリ３４との協同により誤り訂正、デインターリブ、復調等、各種の信号処理を行い装置外部に再生データとして出力する。
【００４２】
また、光学ヘッド３１はその光ビーム３２のフォーカス状態を示すフォーカスエラー信号（Ｆｏ）、トラック方向に二分割した再生信号の差信号であるトラッキング状態を示すプッシュプル信号（Ｐ−Ｐ）を出力する。フォーカス制御回路３５はこの出力されたフォーカスエラー信号を入力し、光ビーム３２のフォーカス状態を制御する。一方、プッシュプル信号（Ｐ−Ｐ）はローパスフィルタ（ＬＰＦ）３６によりトラッキングエラー信号（Ｔｒ）が抽出され、トラッキング制御回路３７はこのトラッキングエラー信号に基づき、光ビース３２のトラッキング状態を制御する。なお、トラッキング制御回路３７の出力はそのサーボ極性を反転自在とすべく、極性反転回路３８を介して光学ヘッド３１に供給される。
【００４３】
また、光学ヘッド３１から出力されたプッシュプル信号（Ｐ−Ｐ）はバンドパスフィルター（ＢＰＦ）回路３９によりグルーブ再生信号（位相変調信号）が抽出される。エッジ検出回路４０はこのグルーブ再生信号のエッジを検出し、ＰＬＬ回路４１はこのエッジ検出回路４０の出力信号と内部基準クロックとを位相比較する。スピンドル制御回路４２はＰＬＬ回路の出力に基づき、ディスク３０が常に所定の速度で回転するようスピンドルモータ３１を制御する。
【００４４】
バンドパスフィルター回路３９から出力されたグルーブ再生信号は、位相復調回路４３に入力され、チャンネルビット信号Ｓ６に復調処理される。バイフェーズ復調回路４４はこのチャンネルビット信号Ｓ６を復調処理し、同期信号を含むデータビット信号に復調する。同期信号検出回路４６は復調回路４３から出力されたチャンネルビット信号に含まれる同期信号を検出し、アドレス読取回路４５に同期信号位置情報を出力する。アドレス読取回路４５はこの同期信号位置情報に基づき、バイフェーズ復調回路４４のデータビット信号から上述した８ビットのセクターインフォメーション（Sector Information）、３２ビットのアドレスデータ（ID Data）を読み取り、記録／再生回路３３に与える。
【００４５】
一方、本実施例装置によれば、ランドとグルーブが交互に接続されたシングルスパイラルディスク３０を再生するため、光ビーム３２がランド７３上をトレースする状態を検出し、トラッキングサーボの極性を反転制御する。
【００４６】
この目的を達成するため、位相復調回路４３から出力されたチャンネルビット信号Ｓ６は更にランド／グルーブ検出回路４７に供給される。上述したように光ディスク３０に形成されたグルーブ７２はディスク中心側となる壁面７２Ａのみが蛇行している。よって、図９に示されるように、光ビーム３２（光スポット３２Ａ）がグルーブ７２をトレースしている時、バンドパスフィルター回路３９の出力Ｓ５はディスク原盤製造時の位相変調信号Ｓ４と同一位相となるが、光ビーム３２がランド７３をトレースする状態となると、バンドパスフィルター回路３９の出力Ｓ５はディスク原盤製造時の位相変調信号Ｓ４の反転信号となる。従って、位相変調信号Ｓ４を復調し、その復調した信号に含まれる同期信号のパターンを判別すれば、光ビーム３２がグルーブ７２をトレースしているのか、ランド７３をトレースしているのか検出することができる。
【００４７】
図１０はランド／グルーブ検出回路４７の一実施例回路を示している。入力した位相復調回路４３の出力Ｓ６は２値化回路５０により“Ｈ”，“Ｌ”の２値データに変換され（図９参照）、パターン検出回路５１Ａと５１Ｂに入力される。パターン検出回路５１Ａ，５１Ｂはシフトレジスタや各種ゲート回路から構成されており、タイミング回路５２から出力されたシンクゲート信号に基づき、同期データを取り込んだタイミングで、取り込んだデータが夫々上述した同期信号Ｓ２と同一の同期パターン“０１１１０００１”、その反転パターン“１０００１１１０”と一致するか否かを判別する。
【００４８】
Ｌ／Ｇ判定回路５３はパターン検出回路５１Ａ，５１Ｂの検出結果に基づき、上述した極性反転回路３８を制御するもので、パターン判別回路５１Ａ，５１Ｂの出力が夫々一致出力（“Ｈ”）、不一致出力（“Ｌ”）の時、光ビーム３２がグルーブ７２をトレースしていると判断し、極性反転回路３８を信号通過状態（スルー状態）に制御する。よってこの場合、光ビーム３２はトラッキング制御回路３７によりグルーブ７２に対してトラッキングサーボが掛けられる。そしてディスクが回転し、パターン判別回路５１Ａ，５１Ｂの出力が夫々不一致出力（“Ｌ”）、一致出力（“Ｈ”）の時、光ビーム３２がランド７３をトレースした状態になったと判断し、極性反転回路３８を信号反転状態に制御する。よってこの場合、光ビーム３２はトラッキング制御回路３７によりランド７３に対してトラッキングサーボが掛けられる。もし、何らかの理由で、パターン判別回路５１Ａ，５１Ｂの出力が上述以外の組み合わせ状態となった時、Ｌ／Ｇ判定回路５３は極性反転回路３８の状態をそのまま、即ち制御しない。
【００４９】
なお、ディスク回転に伴い、光ビーム３２がグルーブ７２からランド７３、またはその逆にランド７３からグルーブ７２をトレースする状態となる過渡状態の時、トラッキングサーボの極性が反対の状態となる期間が生じるが、トラッキングサーボがその期間内で応答できないので、光ビームが隣のランドやトラックに移動することはない。
【００５０】
なお、本発明は上述の実施例に何ら限定されるものではなく、特許請求の範囲に記載された範囲を逸脱することなく、種々の態様を取り得ることができるのは勿論である。例えば、上述した光ディスク原盤記録装置は、シングルスパイラルディスクの原盤をマスタリングするものであったが、ランドまたはグルーブのみに記録再生データを書き込むための光ディスク原盤をマスタリングするものであっても良い。よって、グルーブの一方の壁面のみを蛇行させることに限定されないことは勿論である。
【００５１】
また、上述した実施例装置によれば、位相変調信号はグルーブに急激な蛇行変化個所が生じさせることがないよう、位相変化点ｐを中心としたＴ／２の期間（Ｔ：基本周期）、位相変調信号の出力レベルをプラスまたはマイナス最大値に保つようにしたが、それに限定されるものでもない。
【００５２】
特に、図４に示されるように、チャンネルビット信号Ｓ３の連続する３ビットデータの値に対応した基本波形Ｗ１〜Ｗ８のサンプリングデータをメモリに記憶し、メモリから読み出したサンプリングデータをＤ／Ａ変換することにより位相変調信号を生成するようにしたが、その回路構成に限定されるものではない。例えばＳ／Ｈ回路により位相変化点を中心としたＴ／２の期間、位相変調信号の出力レベルを保持することができるであろう。
【００５３】
一方、位相変調信号の出力レベルを保持するのではなく、チャンネルビット信号Ｓ３を上述した特開平１０−３２０７７３号公報に記載されるように周知の位相変調回路により位相変調し、その位相変調をローパスフィルタを通すことにより、位相変化点における急激な波形変化が取り除かれた位相変調信号を生成することもできるであろう。
【００５４】
【発明の効果】
請求項１、４及び７に記載の本発明によれば、長期間にわたり安定した性能に保たれ、Ｃ／Ｎ悪化に強く、記録されたアドレス情報を確実に読み出すことができ光ディスクを提供できる。
【００５５】
請求項９乃至１２に記載の本発明によれば、長期間にわたり安定した性能に保たれ、Ｃ／Ｎ悪化に強く、記録されたアドレス情報を確実に読み出すことができ光ディスクを提供できる。更に、グルーブ再生信号からランドを再生しているのか、或いはグルーブを再生しているのかを検出することができる。
【図面の簡単な説明】
【図１】本発明を適用した光ディスク原盤記録装置１００のブロック回路図である。
【図２】アドレス信号発生回路１０が出力するデータビット信号のフォーマットの一例を示す図である。
【図３】図１に示される光ディスク原盤記録装置１００の説明に供する信号波形図である。
【図４】位相変調回路１４の一実施例回路を示すブロック回路図である。
【図５】メモリコントロール回路２２の説明に供するタイミングチャートである。
【図６】メモリ２３に記録される位相変調信号Ｓ４の基本波形Ｗ１〜Ｗ８を示す波形図である。
【図７】光ディスク原盤１９と光スポット１７Ａ，１７Ｂの位置関係を示す図である。
【図８】図１に示される光ディスク原盤記録装置１００により製造された記録用光ディスクにデータを記録再生する光ディスク記録再生装置のブロック回路図である。
【図９】図８に示される光ディスク記録再生装置の説明に供する信号波形図である。
【図１０】図８に示される光ディスク記録再生装置に用いられるランド／グルーブ検出回路４４の一実施例回路を示すブロック回路図である。
【図１１】従来の光ディスクマスタリング装置１を示すブロック回路図である。
【図１２】図１１に示される従来の光ディスクマスタリング装置１の信号波形図である
【符号の説明】
１０……アドレス信号発生回路
１１……バイフェーズ変調回路
１２……同期信号発生回路
１３……信号合成回路
１４……位相変調回路
１５……駆動回路
１６……光学ヘッド（グルーブ蛇行手段）
１７Ａ、１７Ｂ……第１、第２の光ビーム
１８Ａ、１８Ｂ……第１、第２の光スポット
１９……光ディスク原盤
２０……シフトレジスタ
２１……分周回路
２２……メモリコントロール回路
２３……メモリ
２４……Ｄ／Ａ変換回路
２５……ローパスフィルタ回路
２６……マスタークロック発生回路
２７、２９……スピンドルモータ
２８……送り機構
３１……光学ヘッド
３７……トラッキング制御回路
３８……反転回路
４７……ランド／グルーブ検出回路
７２……グルーブ
７３……ランド
１００……光ディスク原盤記録装置
２００……光ディスク記録再生装置
Ｆｏ……フォーカスエラー信号
Ｐ−Ｐ……プッシュプル信号
Ｓ０……データビット信号（アドレス情報）
Ｓ１……バイフェーズ信号
Ｓ２……同期信号
Ｓ３……チャンネルビット信号（シリアルデータ）
【図１】
0003938449.tif 000002
【図２】
0003938449.tif 000003
【図３】
0003938449.tif 000004
【図４】
0003938449.tif 000005
【図５】
0003938449.tif 000006
【図６】
0003938449.tif 000007
【図７】
0003938449.tif 000008
【図８】
0003938449.tif 000009
【図９】
0003938449.tif 000010
【図１０】
0003938449.tif 000011
【図１１】
0003938449.tif 000012
【図１２】
0003938449.tif 000013